(57)【要約】アセット追跡のための方法およびモバイル送受信機が、提供される。一側面では、プロセッサと、メモリと、衛星受信機と、少なくとも１つの無線送受信機とを備える、モバイル送受信機を動作させる方法が、提供される。本方法は、最後に使用された無線サービスと関連付けられた無線送受信機を低電力モードからアクティブ化するステップと、最後に使用された無線サービスに関する無線信号を検索するステップと、最後に使用された無線サービスが利用不可能であるとき、代替無線サービスを選択するステップとを含む。代替無線サービスを選択するための異なるアプローチが、提供される。
2019510198.tif 000002
【特許請求の範囲】
【請求項１】
モバイル送受信機を動作させる方法であって、
最後に使用された無線サービスと関連付けられた無線送受信機を低電力モードからアクティブ化するステップと、
前記最後に使用された無線サービスに関する無線信号を検索するステップと、
最後の無線サービスが利用可能であるとき、前記最後に使用された無線サービスにアクセスし、前記最後に使用された無線サービスを使用して、データログの少なくとも一部をアセット追跡サービスに送信するステップと、
前記最後に使用された無線サービスが利用不可能であるとき、複数の無線サービスから代替無線サービスを選択し、前記代替無線サービスにアクセスし、メモリ内の最後に使用された無線サービスを更新し、前記代替無線サービスを使用して、前記データログの少なくとも一部をアセット追跡サービスに送信するステップと、
を含む、方法。
【請求項２】
前記複数の無線サービスは、４Ｇロングタームエボリューション（ＬＴＥ）、３Ｇ、および２Ｇ無線サービスを含む、請求項１に記載の方法。
【請求項３】
前記複数の無線サービスはさらに、ＷＬＡＮおよびＢｌｕｅｔｏｏｔｈ無線サービスを含む、請求項２に記載の方法。
【請求項４】
前記最後に使用された無線サービスが利用不可能であるとき、衛星受信機を介して、前記モバイル送受信機の場所を判定するステップをさらに含み、
前記代替無線サービスは、複数の無線サービスのうちのどれが前記判定された場所において利用可能であり得るかを識別する記憶された情報に従って選択される、請求項１から３のいずれか１項に記載の方法。
【請求項５】
前記代替無線サービスは、メモリ内に記憶される１つまたはそれを上回る選択パラメータおよび前記判定された場所に従って前記複数の無線サービスから選択される、請求項４に記載の方法。
【請求項６】
前記モバイル送受信機の場所を判定する前に、最後に使用された無線サービスと関連付けられた前記衛星受信機を低電力モードからアクティブ化するステップをさらに含む、請求項４または請求項５に記載の方法。
【請求項７】
前記判定された場所および前記判定された場所と関連付けられた時間を前記メモリ内に記憶されるデータログに記憶するステップと、
１つまたはそれを上回るセンサを介して、前記モバイル送受信機の環境を感知するステップと、
前記センサを介して得られるセンサデータおよび前記センサデータが得られた時間を前記メモリ内に記憶されるデータログに記憶するステップと、
をさらに含む、請求項４から６のいずれか１項に記載の方法。
【請求項８】
スイッチコマンドが前記アセット追跡サービスから受信されると、スイッチコマンドによって規定された代替無線サービスに切り替えるステップをさらに含む、請求項１から７のいずれか１項に記載の方法。
【請求項９】
前記代替無線サービスは、メモリ内に記憶される１つまたはそれを上回る選択パラメータに従って、複数の無線サービスから選択される、請求項１から８のいずれか１項に記載の方法。
【請求項１０】
前記代替無線サービスに関する無線信号を検索するステップをさらに含み、前記代替無線サービスは、前記代替無線サービスが利用可能であるときアクセスされる、請求項１から９のいずれか１項に記載の方法。
【請求項１１】
無線サービスが利用不可能であるとき、衛星受信機および複数の環境センサの一方または両方を介して、データロギングサイクルを行い、前記データロギングサイクルの完了後、前記衛星受信機および／または前記複数の環境センサのための低電力モードを始動させるステップをさらに含む、請求項１から１０のいずれか１項に記載の方法。
【請求項１２】
無線サービスが利用不可能であるとき、前記無線送受信機のための低電力モードを始動させるステップをさらに含む、請求項１から１１のいずれか１項に記載の方法。
【請求項１３】
データログの少なくとも一部を前記アセット追跡サービスに送信後、前記無線送受信機のための低電力モードを始動させるステップをさらに含む、請求項１から１２のいずれか１項に記載の方法。
【請求項１４】
モバイル送受信機であって、
プロセッサと、
前記プロセッサに結合されたメモリと、
前記プロセッサに結合された衛星受信機と、
前記プロセッサに結合された無線送受信機と、
を備え、
前記プロセッサは、
最後に使用された無線サービスと関連付けられた無線送受信機を低電力モードからアクティブ化するステップと、
前記無線送受信機に、前記最後に使用された無線サービスに関する無線信号を検索させるステップと、
最後の無線サービスが利用可能であるとき、前記最後に使用された無線サービスにアクセスし、前記最後に使用された無線サービスを使用して、データログの少なくとも一部をアセット追跡サービスに送信するステップと、
前記最後に使用された無線サービスが利用不可能であるとき、複数の無線サービスから代替無線サービスを選択し、前記代替無線サービスにアクセスし、メモリ内の最後に使用された無線サービスを更新し、前記代替無線サービスを使用して、データログの少なくとも一部を前記アセット追跡サービスに送信するステップと、
を行うように構成される、モバイル送受信機。
【請求項１５】
前記複数の無線サービスは、４Ｇロングタームエボリューション（ＬＴＥ）、３Ｇ、および２Ｇ無線サービスを含む、請求項１４に記載のモバイル送受信機。
【請求項１６】
前記複数の無線サービスはさらに、ＷＬＡＮおよびＢｌｕｅｔｏｏｔｈ無線サービスを含む、請求項１５に記載のモバイル送受信機。
【請求項１７】
前記プロセッサはさらに、
前記最後に使用された無線サービスが利用不可能であるとき、衛星受信機を介して、前記モバイル送受信機の場所を判定するように構成され、
前記代替無線サービスは、前記判定された場所に従って、前記複数の無線サービスから選択される、
請求項１４から１６のいずれか１項に記載のモバイル送受信機。
【請求項１８】
前記プロセッサはさらに、
スイッチコマンドが前記アセット追跡サービスから受信されると、スイッチコマンドによって規定された代替無線サービスに切り替えるように構成される、請求項１４から１７のいずれか１項に記載のモバイル送受信機。
【請求項１９】
前記モバイル送受信機は、全地球的航法衛星システム（ＧＮＳＳ）追跡デバイスである、請求項１４から１８のいずれか１項に記載のモバイル送受信機。
【請求項２０】
モバイル送受信機であって、
プロセッサと、
前記プロセッサに結合されたメモリと、
前記プロセッサに結合された衛星受信機と、
前記プロセッサに結合された無線送受信機と、
を備え、
前記メモリは、その上に有形に記憶される実行可能命令を有し、前記実行可能命令は、前記プロセッサによって実行されると、前記モバイル送受信機に、請求項１から１３のいずれか１項に記載の方法を行わせる、モバイル送受信機。
【請求項２１】
その上に有形に記憶される実行可能命令を有する非一過性機械可読媒体であって、前記実行可能命令は、プロセッサと、メモリと、衛星受信機と、無線送受信機とを備えるモバイル送受信機の前記プロセッサによって実行されると、前記プロセッサに、請求項１から１３のいずれか１項に記載の方法を行わせる、非一過性機械可読媒体。
【発明の詳細な説明】
【技術分野】
【０００１】
（技術分野）
本開示は、概して、モバイル送受信機に関し、より具体的には、アセット追跡のための方法およびモバイル送受信機に関する。
【背景技術】
【０００２】
（背景）
全地球測位システム（ＧＰＳ）追跡デバイス等の全地球的航法衛星システム（ＧＮＳＳ）追跡デバイスは、規則的間隔においてＧＮＳＳを使用して、キャリアの場所を測定し、典型的には、その場所を内部メモリ内に記憶する、物体または人物（「キャリア」）によって携行されるデバイスである。ＧＮＳＳ追跡デバイスのタイプの実施例は、データロガー、データプッシャ、およびデータプラーを含む。データロガーは、後続ダウンロードおよび分析のために、測定された場所データを内部メモリ内に記憶し得る。データプッシャ（ビーコンとしても知られる）は、所定のパラメータに従って、内部メモリ内に記憶された場所データをサーバまたは他のデバイスに送信し得る。データプラー（トランスポンダとしても知られる）は、場所データを内部メモリ内に記憶し、サーバまたは他のデバイスからのクエリに応答して、場所データを提供し得る。ＧＮＳＳ追跡デバイスは、限定された電力および／または限定された処理リソースを有し得る。故に、ＧＮＳＳ追跡デバイスを効率的に動作および展開させるための方法が、所望され得る。
【発明の概要】
【課題を解決するための手段】
【０００３】
（例示的実施形態の説明）
本開示は、実施形態が示される、添付の図面を参照して行われる。しかしながら、多くの異なる実施形態が、使用されてもよく、したがって、説明は、本明細書に記載される実施形態に限定されるものとして解釈されるべきではない。むしろ、これらの実施形態は、本開示が徹底的かつ完全となるであろうように提供される。同様の番号は、全体を通して同様の要素を指し、プライム表記は、代替実施形態における類似要素、動作、またはステップを示すために使用される。別個のボックスまたは図示されるシステムおよびデバイスの機能要素の例証される分離は、そのような要素間の通信が、任意のそのような物理的分離を伴わずに、メッセージング、機能コール、共有メモリ空間等を用いて生じ得るため、必ずしも、そのような機能の物理的分離を要求するものではない。したがって、機能は、物理的または論理的に分離されたプラットフォーム内に実装される必要はないが、それらは、本明細書における説明を容易にするために、別個に図示される。異なるデバイスは、いくつかのデバイスが、いくつかの機能を固定機能ハードウェア内に実装する一方、他のデバイスが、機械可読媒体から得られたコードとともにそのような機能をプログラマブルプロセッサ内に実装し得るように、異なる設計を有することができる。
【０００４】
本開示は、輸送中、無線キャリアおよびネットワークカバレッジ境界を越える場合でも、全地球的かつ長距離で輸送中のアセットが追跡され得る、全地球的かつ長距離の追跡用途を可能にし得る、モバイル送受信機を提供する。全地球的かつ長距離の追跡用途では、モバイル送受信機および追跡されているアセットは、輸送中、無線キャリアおよびネットワークカバレッジ境界を越え得る。例えば、出荷用コンテナが、中国本土から出発し、北米を最終目的地として、南アフリカを巡ることは、珍しいことではない。本開示のモバイル送受信機は、モバイル送受信機が、輸送中、４Ｇ  ＬＴＥ、３Ｇ、２Ｇ、ＷＬＡＮ／Ｗｉ−Ｆｉ、および／またはＢｌｕｅｔｏｏｔｈ（登録商標）等のいくつかの無線サービスのうちの１つを使用して通信し、随時、利用可能であり得る種々の無線サービスを考慮することを可能にし得る、１つまたはそれを上回る無線送受信機を含む。
【０００５】
本開示はまた、電力効率的であって、モバイル送受信機のバッテリの期待寿命を延長させる、全地球的かつ長距離の追跡のためのモバイル送受信機（例えば、追跡デバイス）を動作させる方法を提供する。モバイル送受信機が、ある非アクティブ期間後、ウェイクアップすると、場所を報告するために最後に使用された無線サービスは、もはや利用可能ではない場合がある。加えて、大陸境界および国境を越える場合、無線アクセス技術およびＲＦバンドは、典型的には、重複しない。本開示は、とりわけ、最小電力を使用して、ログデータをアセット追跡サービスに通信するための無線サービスを選択し、それによって、モバイル送受信機のバッテリの期待寿命を延長させる、モバイル送受信機を動作させる方法を提供する。これは、モバイル送受信機が非再充電可能バッテリを具備するとき、特に有利である。
【０００６】
種々の実施形態によると、モバイル送受信機は、最後に使用された無線サービスを判定し、最後に使用された無線サービスへのアクセスを試み、それによって、従来行われている全ての利用可能な無線サービスの検索と関連付けられたバッテリ電力を節約する。最後に使用された無線サービスが利用不可能であるとき、代替無線サービスの選択および切替のための異なるアプローチが、行われ得る。最後に使用された無線サービスが利用可能であるとき、モバイル送受信機は、最後に使用された無線サービスにアクセスし、アセット追跡サービスから、電力関連または他の理由から好ましいまたはより最適であり得る、代替無線サービスに切り替えるためのコマンドを受信し得る。
【０００７】
本開示の一側面の例示的実施形態によると、モバイル送受信機を動作させる方法が、提供され、モバイル送受信機は、プロセッサと、メモリと、衛星受信機と、少なくとも１つの無線送受信機とを備え、本方法は、最後に使用された無線サービスと関連付けられた無線送受信機を低電力モードからアクティブ化するステップと、最後に使用された無線サービスに関する無線信号を検索するステップと、最後の無線サービスが利用可能であるとき、最後に使用された無線サービスにアクセスし、最後に使用された無線サービスを使用して、データログの少なくとも一部をアセット追跡サービスに送信するステップと、最後の無線サービスが利用不可能であるとき、複数の無線サービスから代替無線サービスを選択し、代替無線サービスにアクセスし、メモリ内の最後に使用された無線サービスを更新し、代替無線サービスを使用して、データログの少なくとも一部をアセット追跡サービスに送信するステップとを含む。
【０００８】
本開示の別の側面の例示的実施形態によると、プロセッサと、プロセッサに結合されたメモリと、プロセッサに結合された衛星受信機と、プロセッサに結合された無線送受信機とを備える、モバイル送受信機が、提供され、プロセッサは、最後に使用された無線サービスと関連付けられた無線送受信機を低電力モードからアクティブ化するステップと、無線送受信機に、最後に使用された無線サービスに関する無線信号を検索させるステップと、最後の無線サービスが利用可能であるとき、最後に使用された無線サービスにアクセスし、最後に使用された無線サービスを使用して、データログの少なくとも一部をアセット追跡サービスに送信するステップと、最後の無線サービスが利用不可能であるとき、複数の無線サービスから代替無線サービスを選択し、代替無線サービスにアクセスし、メモリ内の最後に使用された無線サービスを更新し、代替無線サービスを使用して、データログの少なくとも一部をアセット追跡サービスに送信するステップとを行うように構成される。
【０００９】
本開示のさらなる側面の例示的実施形態によると、その上に有形に記憶された実行可能命令を有する非一過性機械可読媒体が提供され、プロセッサと、メモリと、衛星受信機と、少なくとも１つの無線送受信機とを備えるモバイル送受信機のプロセッサによって実行されると、プロセッサに、最後に使用された無線サービスと関連付けられた無線送受信機を低電力モードからアクティブ化することと、無線送受信機に、最後に使用された無線サービスに関する無線信号を検索することと、最後の無線サービスが利用可能であるとき、最後に使用された無線サービスにアクセスし、最後に使用された無線サービスを使用して、データログの少なくとも一部をアセット追跡サービスに送信することと、最後の無線サービスが利用不可能であるとき、複数の無線サービスから代替無線サービスを選択し、代替無線サービスにアクセスし、メモリ内の最後に使用された無線サービスを更新し、代替無線サービスを使用して、データログの少なくとも一部をアセット追跡サービスに送信することとを行わせる。
【図面の簡単な説明】
【００１０】
【図１】図１は、本開示による、モバイル送受信機を動作させるために好適な通信システムを図示するブロック図である。
【００１１】
【図２】図２は、本開示の例示的実施形態による、モバイル送受信機を図示するブロック図である。
【００１２】
【図３】図３は、本開示の例示的実施形態による、無線通信サブシステムを図示するブロック図である。
【００１３】
【図４】図４は、本開示の一実施形態による、モバイル送受信機を動作させる方法の例示的実施形態を図示するフローチャートである。
【００１４】
【図５】図５は、本開示の別の実施形態による、モバイル送受信機を動作させる方法の例示的実施形態を図示するフローチャートである。
【００１５】
【図６】図６は、本開示のさらなる実施形態による、モバイル送受信機を動作させる方法の例示的実施形態を図示するフローチャートである。
【００１６】
【図７】図７は、本開示のなおもさらなる実施形態による、モバイル送受信機を動作させる方法の例示的実施形態を図示するフローチャートである。
【発明を実施するための形態】
【００１７】
図１および２を参照すると、本開示のモバイル送受信機１０２の例示的実施形態が、説明されるであろう。モバイル送受信機１０２は、モバイル送受信機１０２の動作全体を制御する、少なくとも１つのプロセッサ１０４を備える。プロセッサ１０４は、コンポーネントとプロセッサ１０４との間に通信パスを提供する、通信バス（図示せず）を介して、複数のコンポーネントに結合される。モバイル送受信機１０２はまた、ランダムアクセスメモリ（ＲＡＭ）１０８と、読取専用メモリ（ＲＯＭ）１１０と、フラッシュ消去可能プログラマブル読取専用メモリ（ＥＰＲＯＭ）（「フラッシュメモリ」）または他の好適な形態のメモリであり得る、永続性（不揮発性）メモリ１１２と、シリアルデータポート（例えば、ユニバーサルシリアルバス（ＵＳＢ）データポート）等のデータポート１２２と、モバイル送受信機１０２の環境を感知するための複数の環境センサ１３０とを備える。センサ１３０は、光センサ１３１と、温度センサ１３２と、圧力センサ１３３と、湿度センサ１３４と、ジャイロスコープ１３５と、加速時計１３６と、１つまたはそれを上回る飛行時間（ＴｏＦ）センサ１３７と、可能性として、ドア接触スイッチ（図示せず）等の他のセンサとを備えてもよい。
【００１８】
モバイル送受信機１０２はまた、全地球または地域的衛星ナビゲーションシステムの一部である、複数の衛星を備える、衛星ネットワーク１８０から衛星信号を受信するための衛星受信機１２０を備える。いくつかの実施形態では、衛星信号の受信および送信の両方が可能である衛星送受信機が、衛星信号を受信のみすることができる、衛星受信機の代わりに提供されてもよい。
【００１９】
モバイル送受信機１０２は、衛星受信機１２０によって衛星ネットワーク１８０内の複数の衛星から受信された信号を使用して、その位置を判定することができる。少なくともいくつかの実施形態では、衛星ネットワーク１８０は、全地球のカバレッジを用いて、自律的地理空間測位を提供する、少なくとも１つの全地球的航法衛星システム（ＧＮＳＳ）の一部である、複数の衛星を備える。例えば、衛星ネットワーク１８０は、ＧＮＳＳ衛星の集合であってもよい。例示的ＧＮＳＳは、米国のＮＡＶＳＴＡＲ全地球測位システム（ＧＰＳ）またはロシアの全地球的航法衛星システム（ＧＬＯＮＡＳＳ）を含む。展開されている、または開発中である、他の衛星ナビゲーションシステムは、欧州連合のＧａｌｉｌｅｏ測位システム、中国のＢｅｉＤｏｕ衛星測位システム（ＢＤＳ）、インドの地域的衛星測位システム、および日本の衛星測位システムを含む。
【００２０】
モバイル送受信機１０２はまた、少なくともデータ通信を交換するための１つまたはそれを上回る無線送受信機を備える。無線送受信機は、少なくとも、異なる無線データ通信プロトコルおよび規格を使用して、セルラーネットワーク１６０等の複数の異なる無線アクセスネットワーク（ＲＡＮ）と通信するためのセルラー（ＲＦ）送受信機１１４を備える。モバイル送受信機１０２は、その地理的カバレッジエリア内のセルラーネットワーク１６０の複数の固定送受信機基地局（そのうちの１つが、図１に示される）のうちの任意の１つと通信してもよい。モバイル送受信機１０２は、要求されたネットワーク登録および／またはアクティブ化プロシージャが完了した後、セルラーネットワーク１６０を経由して、信号を送信および受信してもよい。説明される実施形態では、セルラー送受信機１１４は、例えば、スイスのｕ−ｂｌｏｘ  Ｈｏｌｄｉｎｇ  ＡＧからのＴＯＢＹ−Ｌ２シリーズ無線送受信機等、例えば、複数の４Ｇロングタームエボリューション（ＬＴＥ）またはＬＴＥアドバンストバンドならびにグローバル３Ｇおよび２Ｇバンドを含み得る、複数の無線周波数をサポートする、マルチバンド送受信機である。他の実施形態では、複数の専用送受信機が、４Ｇ  ＬＴＥ、３Ｇ、および２Ｇ無線サービス等の異なる無線サービスをサポートするために提供されてもよい。
【００２１】
セルラー送受信機１１４によって使用され得る、技術の実施例は、ＬＴＥ、ＬＴＥアドバンスト、汎用パケット無線サービス（ＧＰＲＳ）、Ｍｏｂｉｔｅｘ（ＴＭ）、およびＤａｔａ  ＴＡＣ（ＴＭ）を含む。セルラー送受信機１１４によって使用され得る、他の例示的技術は、高度携帯電話システム（ＡＭＰＳ）、時分割多重アクセス（ＴＤＭＡ）、符号分割多重アクセス（ＣＤＭＡ）、広帯域符号分割多重アクセス（Ｗ−ＣＤＭＡ）、パーソナル通信サービス（ＰＣＳ）、ＧＳＭ（登録商標）（モバイル通信のためのグローバルシステム）、セルラーデジタルパケットデータ（ＣＤＰＤ）、統合デジタル拡張ネットワーク（ｉＤＥＮ）、高速ダウンリンクパケットアクセス（ＨＳＰＤＡ）、エボリューションデータオプティマイズド（ＥｖＤＯ）、ＧＳＭ（登録商標）エボリューションのための拡張データレート（ＥＤＧＥ）等を含む。別個および統合された他のタイプの通信ネットワークもまた、モバイル送受信機１０２と併用されてもよい。モバイル送受信機１０２はまた、３ＧＳＭ（登録商標）、第３世代パートナーシッププロジェクト（３ＧＰＰ）、ユニバーサルモバイルテレコミュニケーションシステム（ＵＭＴＳ）、４Ｇ等の他の通信規格に準拠してもよい。前述の技術は、実施例によって使用され、排他的ではない。説明される実施形態は、ＲＡＮの任意の特定の特性または能力に依存しない。
【００２２】
無線送受信機はまた、ＷＬＡＮアクセスポイント（ＡＰ）を介してＷＬＡＮ１５０と通信するための無線ローカルエリアネットワーク（ＷＬＡＮ）送受信機１１６を備えてもよい。ＷＬＡＮ１５０は、ＩＥＥＥ８０２．１１ｘ規格（時として、Ｗｉ−Ｆｉ（Ｒ）とも称される）に準拠する、Ｗｉ−Ｆｉ無線ネットワークを備えてもよい。他の通信プロトコルも、他の実施形態では、ＷＬＡＮ１０４のために使用されてもよい。
【００２３】
無線送受信機はまた、コンピュータ２４０と通信するために、Ｂｌｕｅｔｏｏｔｈ（登録商標）送受信機１１８等の短距離無線送受信機を備えてもよい。モバイル送受信機１０２は、代替として、データポート１２２（例えば、ＵＳＢポート）等の物理的リンクを使用して、コンピュータ２４０と通信してもよい。Ｂｌｕｅｔｏｏｔｈ送受信機１１８は、Ｂｌｕｅｔｏｏｔｈ低エネルギー（ＢｌｕｅｔｏｏｔｈＳｍａｒｔ）を含む、任意の好適なバージョンのＢｌｕｅｔｏｏｔｈプロトコルと互換性があり得る。Ｂｌｕｅｔｏｏｔｈ（登録商標）の代わりに、またはそれに加え、限定ではないが、近距離通信（ＮＦＣ）、ＩＥＥＥ８０２．１５．３ａ（超広帯域無線（ＵＷＢ）とも称される）、Ｚ−Ｗａｖｅ、ＺｉｇＢｅｅ、ＡＮＴ／ＡＮＴ＋、または赤外線（例えば、Ｉｎｆｒａｒｅｄ  Ｄａｔａ  Ａｓｓｏｃｉａｔｉｏｎ（ＩｒＤＡ）通信）を含む、他の短距離無線通信技術も、提供されてもよい。
【００２４】
モバイル送受信機１０２によって受信されたデータは、デコーダ（図示せず）によって解凍および解読されてもよい。モバイル送受信機１０２の通信サブシステムはまた、１つまたはそれを上回るアンテナと、デジタル信号プロセッサ（ＤＳＰ）等のプロセッサと、局部発振器（ＬＯ）とを含む。通信サブシステムの具体的設計および実装は、モバイル送受信機１０２によって実装される無線通信技術に依存する。
【００２５】
ネットワークアクセス要件は、セルラーネットワーク１６０のタイプに応じて変動する。説明される実施形態では、モバイル送受信機１０２は、プロセッサ１０４によってデータを記憶し、読み取るために、スマートカード１４２を受容するためのスマートカードインターフェース１４０を含む。スマートカード１４２は、ＧＳＭ（登録商標）ネットワークにおいて使用するためのサブスクライバ識別モジュール（ＳＩＭ）カードまたは無線ネットワークアクセスを提供する関連無線ネットワークタイプにおいて使用するための他のタイプのスマートカードであってもよい。少なくともいくつかの実施形態では、スマートカード１４２は、少なくともＳＩＭと、ＵＳＩＭアプリケーションとを含有する、ユニバーサル集積回路カード（ＵＩＣＣ）である。ＵＩＣＣは、大部分の現代のＧＳＭ（登録商標）およびＵＭＴＳネットワークにおいて使用される、スマートカードである。ＧＳＭ（登録商標）ネットワークのためのＳＩＭカードが、実施例として説明されるが、用語「スマートカード」は、ユニバーサルサブスクライバ識別モジュール（ＵＳＩＭ）、可撤性ユーザ識別モジュール（Ｒ−ＵＩＭ）、またはＣＤＭＡサブスクライバ識別モジュール（ＣＳＩＭ）、もしくはＵＭＴＳおよびＣＤＭＡネットワークにおいて使用される他の類似技術を提供するためのあらゆるタイプのスマートカードおよび他の類似技術を包含することが意図される。
【００２６】
ＳＩＭカードは、サブスクライバ識別データ（また、ＳＩＭデータと称される）を含み、これは、実施形態に応じて、例えば、無線ネットワークサービスプロバイダによって提供される、無線音声および／またはデータネットワークへのアクセスを得るために必要な情報を含む。サブスクライバ識別データは、ネットワークオペレータバンドル情報および／またはユーザデータ情報を含んでもよい。ネットワークオペレータバンドル情報および／またはユーザデータ情報の実施例は、サブスクライバ識別情報、ネットワーク選択パラメータ、ネットワークオペレータデータ、および種々のデータサービスにアクセスするためのアプリケーションデータ等を含んでもよい。一実施形態では、サブスクライバ識別データは、サブスクライバ識別情報、ネットワーク選択パラメータ、およびネットワークオペレータデータ（時として、「ネットワーク証明書」とも称される）を備える。他の実施形態では、サブスクライバ識別は、より多いまたは少ない情報を含んでもよい。例えば、いくつかの実施形態では、サブスクライバ識別データはさらに、アプリケーションデータを備えてもよい。
【００２７】
サブスクライバ識別情報の実施例は、限定ではないが、国際モバイルサブスクライバ識別（ＩＭＳＩ）、集積回路カードＩＤ（ＩＣＣＩＤ）、一時的モバイルサブスクライバ識別（ＴＭＳＩ）、パケットＴＭＳＩ（Ｐ−ＴＭＳＩ）、およびモバイルサブスクライバ統合サービスデジタルネットワーク番号（ＭＳＩＳＤＮ）を含んでもよい。例示的ネットワーク選択パラメータは、限定ではないが、公衆移動通信網セレクタ（ＰＬＭＮＳｅｌ）、禁止ＰＬＭＮ（ＦＰＬＭＮ）、およびホームＰＬＭＮ（ＨＰＬＭＮ）を含む。ネットワークオペレータデータの実施例は、限定ではないが、オペレータ制御ＰＬＭＮ（ＯＰＬＭＮ）リストＳＰＮ（サービスプロバイダ名）、名称表示のためのＰＬＭＮネットワーク名（ＰＮＮ）、緊急呼のための緊急制御センタ（ＥＣＣ）、および他の呼カテゴリ等を含む。アプリケーションデータの実施例は、限定ではないが、ＳＩＭアプリケーションツールキット（ＳＴＫ）（例えば、ローミングブローカ、拡張ネットワーク選択（ＥＮＳ）、国際モバイル機器識別（ＩＭＥＩ）変更アプリケーション等）を含む。
【００２８】
いくつかの実施形態では、サブスクライバ識別データはさらに、キー等の認証情報および暗号化アルゴリズム等を備えてもよい。例えば、認証情報は、２００９年１２月３１日に公開され、「Ｓｐｅｃｉｆｉｃａｔｉｏｎ  ｏｆ  ｔｈｅ  ＭＩＬＥＮＡＧＥ  Ａｌｇｏｒｉｔｈｍ  Ｓｅｔ：  Ａｎ  ｅｘａｍｐｌｅ  ａｌｇｏｒｉｔｈｍ  ｓｅｔ  ｆｏｒ  ｔｈｅ  ３ＧＰＰ  ａｕｔｈｅｎｔｉｃａｔｉｏｎ  ａｎｄ  ｋｅｙ  ｇｅｎｅｒａｔｉｏｎ  ｆｕｎｃｔｉｏｎｓ  ｆ１，  ｆ１＊，  ｆ２，  ｆ３，  ｆ４，  ｆ５  ａｎｄ  ｆ５＊」と題された３ＧＰＰ  ＴＳ３５．２０５Ｖ９．０．０（本開示は、参照することによってその全体として本明細書に組み込まれる）に説明される、認証キー（Ｋｉ）および暗号化アルゴリズムを備えてもよい。
【００２９】
モバイル送受信機１０２はまた、バッテリ１４６を電源として含む。バッテリ１４６は、再充電可能または非再充電可能バッテリであってもよい。バッテリ１４６は、電力をモバイル送受信機１０２のコンポーネントのうちの少なくともいくつかに提供する。バッテリインターフェース１４４は、バッテリ１４６のための機械的および電気的接続を提供する。バッテリインターフェース１４４は、電力Ｖ＋をモバイル送受信機１０２の回路に提供する、レギュレータ（図示せず）に結合されてもよい。いくつかの実施形態では、バッテリ１４６は、５〜７年のアクティブサービス等、比較的に長い耐用年数を有することが期待される、大容量の非再充電可能なシールされたバッテリである。
【００３０】
モバイル送受信機１０２はまた、交流電流（ＡＣ）電力アダプタ等の外部電源１５２に接続するための電力ポート等、電力インターフェースを含んでもよい。モバイル送受信機１０２は、バッテリ１４６ではなく、外部電源１５２を使用することもできる。バッテリ１４６が再充電可能である場合、外部電源１５２は、バッテリ１４６を再充電するために使用されてもよい。
【００３１】
再び図１を参照すると、本開示のモバイル送受信機１０２が動作し得る、例示的通信システム１００が、説明されるであろう。モバイル送受信機１０２は、典型的には、セルラーネットワーク１６０を使用して、アセット追跡サービス（例えば、サーバまたはフリート管理システム）２００にアクセスする。アセット追跡サービス２００は、１つまたはそれを上回るサーバモジュールとして実装され、典型的には、ファイアウォール２１０の背後に位置してもよい。アセット追跡サービス２００は、複数の管理されるモバイル送受信機１０２にわたる運営制御および管理能力を提供する。アセット追跡サービス２００は、ハードウェアまたは構成情報が、ＡＰＩ場所および機能定義以外の機能性にアクセスする必要がないように、アセット追跡サービス２００の機能性のアクセスおよび抽象化を提供する、サーバベースのシステム、アプリケーションプログラミングインターフェース（ＡＰＩ）、および／またはエンドポイントを含む、種々の構成として、ハードウェアまたはソフトウェア内に具現化されてもよい。
【００３２】
アセット追跡サービス２００は、アセット追跡サービス２００と複数の管理されるモバイル送受信機１０２との間で交換されるデータのセキュアな伝送を提供する。アセット追跡サービス２００とモバイル送受信機１０２との間の通信は、例えば、高度暗号化規格（ＡＥＳ）または三重データ暗号化規格（三重ＤＥＳ）暗号化を使用して、暗号化されてもよい。
【００３３】
モバイル送受信機１０２は、衛星受信機１２０によって衛星ネットワーク１８０内の複数の衛星から受信された信号を使用して、その位置を判定する。例えば、モバイル送受信機１０２は、他の可能性の中でもとりわけ、規則的間隔において、所定のスケジュールに従って、またはトリガイベントに応答して、衛星受信機１２０を使用して、その場所を判定してもよい。場所が判定される頻度またはスケジュールは、固定される、もしくは構成可能であってもよい。モバイル送受信機１０２は、典型的には緯度および経度の観点からの判定された場所と、その場所が判定された時間とを、モバイル送受信機１０２のメモリ１１２内に記憶されるデータログに記憶する。したがって、データログは、アセット追跡ログを提供する。
【００３４】
モバイル送受信機１０２はまた、センサ１３０のうちの１つまたはそれを上回るものを使用して、モバイル送受信機１０２の環境を感知または測定してもよい。例えば、センサ１３０は、他のパラメータの中でもとりわけ、温度、圧力、および湿度、ならびにドア開放または移動イベントを測定するために使用されてもよい。センサ１３０を介して得られるセンサデータおよびセンサデータが得られた時間もまた、メモリ１１２内に記憶される、データログ（すなわち、アセット追跡ログ）に記憶される。場所データと同様に、モバイル送受信機１０２は、他の可能性の中でもとりわけ、規則的間隔において、所定のスケジュールに従って、またはトリガイベントに応答して、センサデータを収集してもよい。センサデータが得られる頻度またはスケジュールは、固定される、もしくは構成可能であってもよい。
【００３５】
モバイル送受信機１０２は、他の可能性の中でもとりわけ、規則的間隔において、所定のスケジュールに従って、またはトリガイベントに応答して、アセット追跡サービス２００に接続し、アセット追跡ログ内に記憶される場所および／またはセンサデータを報告することを試みる。モバイル送受信機１０２がアセット追跡サービス２００に接続することを試みる頻度またはスケジュールは、固定される、もしくは構成可能であってもよい。モバイル送受信機１０２は、典型的には、セルラー送受信機１１４等の無線送受信機を使用して、アセット追跡サービス２００に接続することを試みる。モバイル送受信機１０２は、それぞれが１つまたはそれを上回る無線サービスへのアクセスを提供する複数の無線送受信機によって提供される、複数の無線サービスへのアクセスを有する。説明される実施形態では、複数の無線送受信機は、セルラー送受信機１１４と、ＷＬＡＮ送受信機１１６と、Ｂｌｕｅｔｏｏｔｈ送受信機１１８とを備える。無線送受信機は、いくつかの実施形態では、マルチバンドセルラー送受信機１１４であり得る、複数のセルラー送受信機１１４を含んでもよい。モバイル送受信機１０２はまた、コンピュータ２４０を介して、直接または間接的にのいずれかにおいて、物理的リンクを使用して、アセット追跡サービス２００に接続することを試み得る。モバイル送受信機１０２によってサポートされる各無線サービスは、規格または仕様によって定義されてもよい。無線サービスの非限定的実施例は、本開示のいずれかに説明され、４Ｇロングタームエボリューション（ＬＴＥ）、３Ｇおよび２Ｇ、ＷＬＡＮ、ならびにＢｌｕｅｔｏｏｔｈ（登録商標）を含む。
【００３６】
いくつかの実施形態では、１つを上回るＳＩＭカードが、特定のセルラー送受信機１１４のために、モバイル送受信機１０２によって担持されてもよい。例えば、モバイル送受信機１０２がマルチバンドセルラー送受信機１１４を有するとき、２つまたはそれを上回るＳＩＭカードが、提供されてもよく、各ＳＩＭカードは、異なる無線サービスプロバイダと関連付けられる。各ＳＩＭカードは、例えば、それらの地理的領域内の無線サービスプロバイダに基づいて、特定の地理的領域のために好ましくあり得る。セルラー送受信機モジュールは、特定のセルラー送受信機１１４のためのＳＩＭカード間で切り替えるために使用され得る、スイッチ（図示せず）を含んでもよい、または専用スイッチが、提供されてもよい。他の実施形態では、仮想ＳＩＭカードが、物理的ＳＩＭカードではなく、提供されてもよい。仮想ＳＩＭカードは、通常、物理的ＳＩＭカード上に記憶され、物理的ＳＩＭカードをエミュレートする、サブスクライバ識別データを含む、メモリ１１２等のメモリ内に記憶される、データオブジェクトである。仮想ＳＩＭカードが提供されるとき、切替は、送受信機モジュールまたはベースバンドプロセッサ３０４によって、ソフトウェアを介して行われる。
【００３７】
モバイル送受信機１０２が、Ｂｌｕｅｔｏｏｔｈ（登録商標）および／またはＵＳＢを介して、セルラーネットワーク１６０、ＷＬＡＮ１５０、またはコンピュータ２４０に接続すると、モバイル送受信機１０２は、通信ネットワーク２３０を使用して、ファイアウォール２１０を通して、データログまたはデータログの一部（すなわち、データログの報告されていない部分）をアセット追跡サービス２００に送信することができる。データログ情報は、例えば、専用メッセージフォーマットを含む、任意の好適なメッセージフォーマットを使用して送信されてもよい。モバイル送受信機１０２データログは、典型的には、報告されたデータログ内のデータおよび報告されていないデータログ内のデータに関するインジケータを含む。例えば、いくつかの実施形態では、データログは、記録識別子（ＩＤ）を含み、それによって識別される、一連の記録を備える。各記録はまた、記録が行われた時間、場所データおよび／またはセンサデータ、ならびに記録がアセット追跡サービス２００に報告されたかどうかを示す報告ステータスを含む。報告されていない記録がアセット追跡サービス２００に報告された後、データログ内のその対応する報告ステータスフィールドは、更新される。
【００３８】
モバイル送受信機１０２は、使用されていないとき、あるデバイスコンポーネントの電源を落とし、バッテリ電力を節約する。例えば、モバイル送受信機１０２は、報告時間／サイクル後、セルラー送受信機１１４のために低電力モードを始動する。低電力モードは、セルラー送受信機１１４が給電されないオフモード（オフ状態としても知られる）または低電力消費を伴うスリープモード（スタンバイモードまたは動作一時停止モードとしても知られる）であってもよい。セルラー送受信機１１４は、次いで、次の報告時間／サイクルにおいて、低電力モードからアクティブ化される。任意の他の無線送受信機も同様に、報告時間／サイクル後、低電力モードに置かれる。衛星受信機１２０およびセンサ１３０もまた、場所またはセンサデータを得ていないとき、低電力モードに置かれ、次いで、次の測定時間／サイクルにおいて、低電力モードからアクティブ化されてもよい。
【００３９】
データロギングおよびデータ報告サイクルは、典型的には、異なり、一致する必要がないが、サイクルは、典型的には、様々な程度に重複する。例えば、各報告サイクルは、典型的には、それぞれが場所データおよび／またはセンサデータを含む、データログのいくつかの記録を報告することを伴う。サイクルは、場所データおよび／またはセンサデータが、ある時間において、共通プロセスの一部として捕捉され得る、もしくはログデータをアセット追跡サービス２００に報告する直前に行われる別個のプロセスの一部として捕捉され得るという点において、重複してもよい。例えば、無線送受信機は、衛星受信機１２０および／またはセンサ１３０がウェイクアップされ、場所データならびに／もしくはセンサデータが捕捉されると同時に、または直後に、報告するためにウェイクアップされてもよい。
【００４０】
通信システム１００は、例証目的のためだけに提供される。通信システム１００は、モバイル送受信機１０２と併用するための多数の可能性として考えられる通信ネットワーク構成の１つの可能性として考えられる構成にすぎない。好適な変形例が、当業者に理解され、本開示の範囲内にあることが意図される。例えば、個々のネットワークが、便宜上、表されるが、各タイプの複数のネットワークおよび示されるネットワークに接続される中間ネットワークが提供されてもよいことを理解されたい。また、図１に表される通信リンクは、Ｘ．２５またはインターネットプロトコル（ＩＰ）ベースのアドレス指定およびルーティング技法等のパケットデータ技術を使用して通信し得る、パブリックおよび／またはプライベートネットワークを使用して実装されることができる。いくつかの接続は、例えば、仮想プライベートネットワーク（ＶＰＮ）技術を使用して、セキュアな接続として実装されることができる。
【００４１】
ここで図３を参照すると、本開示の例示的実施形態による、無線通信サブシステム３００が、説明されるであろう。無線通信サブシステム３００は、アンテナと、参照番号３０６ａ、３０６ｂ、…３０６ｎによって個々に表される複数の無線送受信機および／または受信機３０６とを要求する機能を管理するデジタルベースバンドプロセッサ３０４を含む。無線送受信機／受信機３０６はそれぞれ、参照番号３１０ａ、３１０ｂ、…３１０ｎによって個々に表される内部アンテナ３１０と、参照番号３１２ａ、３１２ｂ、…３１２ｎによって個々に表される外部アンテナ３１２とに結合される、参照番号３０８ａ、３０８ｂ、…３０８ｎによって個々に表されるスイッチ３０８に結合される。外部アンテナ３１２は、典型的には、出荷用コンテナ４００の外側に位置することと関連付けられた低減されたＲＦ干渉のため、一次アンテナとしての役割を果たす一方、内部アンテナ３１０は、典型的には、出荷用コンテナ４００の内側に位置することと関連付けられた増加されたＲＦ干渉のため、二次アンテナとしての役割を果たす。
【００４２】
少なくともいくつかの実施形態では、外部アンテナ３１２は、共通外部アンテナモジュール内に提供され、外部アンテナモジュールの接地ピンは、例えば、モバイル送受信機１０２がウェイクアップすると監視され得る、プロセッサ１０４の汎用入力／出力（ＧＰＩＯ）ピンに接続される。外部アンテナモジュールの接地ピンが検出されないとき、これは、外部アンテナモジュールが接続解除されている、電子故障が外部アンテナモジュール内で生じている、もしくは外部アンテナ３１２および／または外部筐体モジュール５０４が別様に損傷もしくは不正開封されたことのインジケーションである。他の実施形態では、各外部アンテナ３１２の接地ピンは、プロセッサ１０４のＧＰＩＯピンに個々に接続されてもよい。
【００４３】
前述のように、無線送受信機／受信機３０６は、例えば、複数の４Ｇロングタームエボリューション（ＬＴＥ）またはＬＴＥアドバンストバンドならびにグローバル３Ｇおよび２Ｇバンドを含み得る、複数の無線周波数バンドをサポートする、マルチバンドセルラー送受信機等の少なくとも１つのセルラー送受信機１１４と、少なくとも１つの衛星受信機１２０とを含む。
【００４４】
セルラー送受信機１１４および衛星受信機１２０のための共通ベースバンドプロセッサ３０４が説明されるが、他の実施形態では、別個のベースバンドプロセッサが、衛星受信機１２０およびセルラー送受信機１１４のために提供され得る。無線通信サブシステム３００では、セルラー送受信機１１４および衛星受信機１２０は、個々に切り替えられ、独立して動作可能である。その結果、衛星受信機１２０は、外部アンテナ３１２を使用する一方、セルラー送受信機１１４は、内部アンテナ３１０を使用する、またはその逆であることができ、衛星受信機１２０およびセルラー送受信機１１４の両方は、外部アンテナ３１２を使用することができる、または衛星受信機１２０およびセルラー送受信機１１４の両方は、内部アンテナ３０を使用することができる。ベースバンドプロセッサ３０４またはメインプロセッサ１０４は、センサ１３０からの信号品質および補助情報等の要因に応じて、衛星受信機１２０およびセルラー送受信機１１４のために、内部アンテナ３１０または外部アンテナ３１２のいずれかを選択する。無線送受信機／受信機３０６（例えば、衛星受信機１２０およびセルラー送受信機１１４）のそれぞれはまた、別個に、電源オン、電源オフにされる、またはスリープモードに置かれてもよい。
【００４５】
説明される実施形態で使用される用語「スイッチ」および「切替」は、アクティブアンテナを変化させることに制限されることを意図するものではない。代わりに、本用語は、個別のスイッチ３０８に、特定のアンテナがまだアクティブアンテナではない場合、特定のアンテナをアクティブアンテナにする命令を含むことが意図される。
【００４６】
示されないが、無線送受信機／受信機３０６のそれぞれは、概して、アンテナとデジタルベースバンドプロセッサ３０４との間の全てのコンポーネントを含む、ＲＦフロントエンド回路（送受信機モジュール／受信機モジュールとしても知られる）を有する。例えば、セルラー送受信機のＲＦフロントエンド回路は、受信機と、送信機と、局部発振器（ＬＯ）とを含む。受信機は、信号増幅、周波数下方変換、フィルタ処理、チャネル選択等、ならびにアナログ／デジタル変換（ＡＤＣ）のような一般的受信機機能を行う。受信された信号のＡＤＣは、デジタルベースバンドプロセッサ３０４によって行われるべき復調およびデコード等のより複雑な通信機能を可能にする。類似様式において、伝送されるべき信号は、例えば、デジタルベースバンドプロセッサ３０４によって、変調およびエンコーディングを含め、処理される。処理された信号は、アンテナを介して、デジタル／アナログ変換（ＤＡＣ）、周波数上方変換、フィルタ処理、増幅、および伝送のために、送信機に入力される。伝送機能を欠いている受信機は、典型的には、受信するために要求されるコンポーネントを省略する。
【００４７】
図４は、本開示の一例示的実施形態による、ＧＮＳＳ追跡デバイス等のモバイル送受信機１０２を動作させる方法４００の例示的フローチャートを示す。本方法は、モバイル送受信機１０２のプロセッサによって実行されるソフトウェアによって実施されてもよい。そのような方法４００を実施するためのソフトウェアのコーディングは、本開示を提供される当業者の範囲内である。方法４００は、図示および／または説明されるもの以外の付加的プロセスもしくはそれより少ないプロセスを含有してもよく、他の実施形態では、異なる順序で行われてもよい。方法４００を行うためにプロセッサによって実行可能な機械可読コードは、モバイル送受信機１０２のメモリ等の機械可読媒体内に記憶されてもよい。
【００４８】
４０１では、モバイル送受信機１０２は、４Ｇ  ＬＴＥ、３Ｇ、２Ｇ、または可能性として、ＷＬＡＮもしくはＢｌｕｅｔｏｏｔｈ無線サービス等の最後に使用された無線サービスを判定および選択する。１つを上回る無線送受信機が、モバイル送受信機１０２によって担持されるとき、最後に使用された無線サービスと関連付けられた最後に使用された無線送受信機もまた、判定および選択される。最後に使用された無線サービスは、メモリ１１２内に記憶される情報から判定される。最後に使用された無線送受信機は、モバイル送受信機１０２によって担持される無線送受信機のタイプおよび数に基づいて、暗示的に判定されてもよい、またはメモリ１１２内に明示的に記憶されてもよい。モバイル送受信機１０２はまた、無線送受信機に応じて、各無線送受信機と関連付けられた最後に使用された周波数または最後に使用された周波数帯域を記憶してもよい。示されないが、動作４０１は、メインプロセッサ１０４が低電力モードからウェイクアップすることが先行してもよい。
【００４９】
４０２では、モバイル送受信機１０２は、例えば、低電力モードから選択された無線送受信機をアクティブ化する。例えば、モバイル送受信機１０２は、無線送受信機をスリープモードからウェイクアップしてもよい。無線送受信機は、セルラー送受信機１１４、ＷＬＡＮ送受信機１１６、またはＢｌｕｅｔｏｏｔｈ送受信機であってもよい。無線送受信機のアクティブ化は、実施形態に応じて、タイマの時間切れまたは他のトリガによって生じてもよい。最後の無線送受信機のアクティブ化は、実施形態に応じて、メインプロセッサ１０４またはベースバンドプロセッサ３０４によって行われてもよい。
【００５０】
４０４では、無線送受信機は、無線サービスに関する無線信号を検索する。無線送受信機は、メモリ内に記憶される周波数の優先順位シーケンスに基づいて、無線サービスに関する利用可能な無線信号を検索してもよい。優先順位シーケンスは、好ましいキャリア、例えば、ユーザの自宅ネットワークのキャリアによって使用される周波数および／またはユーザの自宅ネットワークのキャリアとの有利な提携契約を有するキャリアに基づいてもよい。優先順位シーケンスは、無線送受信機と関連付けられた最後に使用された周波数または周波数帯域、ならびにもしくはその代わりに、好ましいキャリアと関連付けられた周波数に基づき得る。優先順位シーケンスは、好ましいキャリア周波数、最後に使用された周波数、または最後に使用された周波数帯域に基づいて、優先順位の降順でソートまたはランク付けされた周波数のリストであってもよい。周波数のリストは、説明される様式でソートもしくはランク付けされた無線サービスによってサポートされる全ての周波数のリスト、またはサポートされる周波数のサブセットであってもよい。
【００５１】
４０６では、モバイル送受信機１０２は、走査に応答して受信された任意の応答に従って、無線サービスが利用可能であるかどうかを判定する。無線サービスが利用可能であるとき、処理は、４０８に進み、そこで、モバイル送受信機１０２は、無線サービスを選択し、それにアクセスする、またはそれに接続する。４１０では、モバイル送受信機１０２は、随意に、メモリ１１２内のアクセスされた無線サービスについての識別情報を記憶することによって、例えば、メモリ１１２内に記憶される最後に使用された無線サービスパラメータを更新することによって、最後に使用された無線サービスを更新する。無線サービスが最後にアクセスされた、もしくは無線サービスへの接続が最後に開始された時間、または無線サービスへのアクセスまたは接続が最後に終了された時間等の最後の使用と関連付けられた時間が、アクセスされた無線サービスについての識別情報と関連付けて記憶されてもよい。無線送受信機によって使用される周波数または周波数帯域もまた、いくつかの実施形態では、無線送受信機に応じて、記憶されてもよい。代替として、他の実施形態では、最後に使用された無線サービスの更新は、最後に使用された無線サービスが利用可能であるとき、省略されてもよい。
【００５２】
４３０では、モバイル送受信機１０２は、無線サービスを使用して、データログの少なくとも一部をアセット追跡サービス２００に送信する。
【００５３】
無線サービスが利用不可能であって、他のサポートされる無線サービスがチェックされていないとき（決定ブロック４１２）、処理は、４１４に進み、そこで、モバイル送受信機１０２は、複数の無線サービスから代替無線サービスを選択する。代替無線サービスは、他のパラメータの中でもとりわけ、電力効率、信頼性、データスループット、帯域幅、サービスの質（ＱｏＳ）等の１つまたはそれを上回る無線サービスパラメータに基づいて選択されてもよい。例えば、いくつかの実施形態では、最も電力効率的な無線サービスは、メモリ１１２等のメモリ内に記憶される無線サービスの電力プロファイルに従って選択される。基本電力プロファイル情報は、電力プロファイル効率テーブル内に記憶されてもよく、その実施例は、以下に示される。
【表１】
2019510198.tif 000003
【００５４】
電力プロファイル効率テーブルは、モバイル送受信機１０２によってサポートされる無線サービス毎の基本電力プロファイルを含む。基本電力プロファイルは、モバイル送受信機によってサポートされる無線サービス毎の電力効率インジケータを含む。示される実施例では、電力効率インジケータは、「低」、「中」、または「高」格付けの形態における定質的インジケータである。しかしながら、精度を増加させるために提供されるように、１から１０の数値格付け等の他の定質的インジケータも、他の実施形態では使用され得る。代替として、定量的インジケータも、他の実施形態では使用され得る。
【００５５】
モバイル送受信機１０２によって担持される無線送受信機に応じて、モバイル送受信機１０２は、選択された代替無線サービスに基づいて、無線送受信機を切り替える必要があり得る。例えば、４Ｇ  ＬＴＥ、３Ｇ、および２Ｇのための別個のセルラー送受信機１１４が、モバイル送受信機１０２によって担持され、モバイル送受信機１０２がちょうど検索した無線サービスが４Ｇ  ＬＴＥであって、選択された代替無線サービスが３Ｇである場合、モバイル送受信機１０２は、４Ｇセルラー送受信機１１４をスリープまたは電源オフにして、３Ｇセルラー送受信機１１４をアクティブ化してもよい。しかしながら、４Ｇ  ＬＴＥ、３Ｇ、および２Ｇをサポートするマルチバンドセルラー送受信機１１４が、モバイル送受信機１０２によって担持されるとき、同一無線送受信機が、使用され、切替は、要求されない。
【００５６】
いくつかの実施形態では、１つを上回るＳＩＭカードが、モバイル送受信機によって担持されるとき、代替無線サービスの選択は、送受信機モジュールによる第１のＳＩＭカードから代替セルラーサービスと関連付けられた第２のＳＩＭへの切替を含んでもよい。
【００５７】
無線サービスが利用不可能であって、他のサポートされる無線サービスがチェックされていないとき（決定ブロック４１２）、またはモバイル送受信機がデータログの少なくとも一部をアセット追跡サービス２００に送信したとき、処理は、４４０に進み、そこで、低電力モードが、無線送受信機および／または衛星受信機１２０のために始動される。
【００５８】
低電力モードが、無線送受信機および／または衛星受信機１２０のために始動される前に、モバイル送受信機１０２は、随意に、無線サービスへのアクセスの次の試行、すなわち、次の報告サイクルまで、衛星受信機１２０を介して、データロギングを行ってもよい。いくつかの実施形態では、データロギングは、衛星受信機１２０を介して、時間およびモバイル送受信機１０２の場所を判定し、時間および場所データをメモリ１１２内に記憶されるデータログに記憶することを含む。データロギングはさらに、センサ１３０のうちの１つまたはそれを上回るものを介して、モバイル送受信機１０２の環境を感知し、センサ１３０を介して得られたセンサデータおよびセンサデータが得られた時間をメモリ１２２内に記憶されるデータログに記憶することを含んでもよい。
【００５９】
図５は、本開示の別の例示的実施形態による、ＧＮＳＳ追跡デバイス等のモバイル送受信機１０２を動作させる方法５００の例示的フローチャートを示す。方法は、モバイル送受信機１０２のプロセッサによって実行されるソフトウェアによって実施されてもよい。そのような方法５００を実施するためのソフトウェアのコーディングは、本開示を提供される当業者の範囲内である。方法５００は、図示および／または説明されるもの以外の付加的プロセスもしくはそれより少ないプロセスを含有してもよく、他の実施形態では、異なる順序で行われてもよい。方法５００を行うためにプロセッサによって実行可能な機械可読コードは、モバイル送受信機１０２のメモリ等の機械可読媒体内に記憶されてもよい。
【００６０】
４０１では、モバイル送受信機１０２は、４Ｇ  ＬＴＥ、３Ｇ、２Ｇ、または可能性として、ＷＬＡＮもしくはＢｌｕｅｔｏｏｔｈ無線サービス等の最後に使用された無線サービスを判定および選択する。
【００６１】
４０２では、モバイル送受信機１０２は、例えば、低電力モードから選択された無線送受信機をアクティブ化する。
【００６２】
４０４では、無線送受信機は、無線サービスに関する無線信号を検索する。
【００６３】
４０６では、モバイル送受信機１０２は、走査に応答して受信された任意の応答に従って、無線サービスが利用可能であるかどうかを判定する。無線サービスが利用可能であるとき、処理は、４０８に進み、そこで、モバイル送受信機１０２は、無線サービスを選択し、アクセスする。４１０では、モバイル送受信機１０２は、メモリ１１２内のアクセスされた無線サービスについての識別情報を記憶することによって、最後に使用された無線サービスを更新する。無線送受信機によって使用される周波数または周波数帯域はまた、いくつかの実施形態では、無線送受信機に応じて、記憶されてもよい。
【００６４】
４３０では、モバイル送受信機１０２は、無線サービスを使用して、データログの少なくとも一部をアセット追跡サービス２００に送信する。
【００６５】
無線サービスが利用不可能であるとき（決定ブロック４０６）、処理は、５１０に進み、そこで、衛星受信機１２０は、例えば、低電力モードからアクティブ化される。本動作は、他の実施形態では、衛星受信機１２０がすでにアクティブ化されている場合、省略されてもよい。
【００６６】
５１２では、モバイル送受信機１０２は、衛星受信機１２０を使用して、その場所を判定する。判定された場所および判定された場所と関連付けられた時間は、メモリ１１２内のデータログに記憶される。
【００６７】
５１４では、モバイル送受信機１０２は、随意に、１つまたはそれを上回るセンサ１３０を介して、モバイル送受信機１０２の環境を感知する。センサ１３０を介して得られるセンサデータおよびセンサデータが得られた時間は、メモリ１１２内に記憶されるデータログに記憶される。
【００６８】
５１６では、モバイル送受信機１０２は、判定された場所に基づいて、複数の無線サービスから代替無線サービスを選択する。モバイル送受信機１０２は、種々の場所において使用するための１つまたはそれを上回る無線サービスをメモリ内に記憶している。モバイル送受信機１０２は、地理空間場所またはその範囲およびそれらの場所において使用されるべき関連付けられた無線サービスのテーブルを記憶し、いくつかの実施例では、それらの場所における好ましい無線サービスを識別してもよい。地理空間場所は、緯度および経度範囲、地域、国等の任意の好適な形態で記憶されてもよい。それらの場所において使用されるべき関連付けられた無線サービスは、いくつかの無線サービスおよびそれらの無線サービスの優先順位シーケンスを含んでもよい。優先順位シーケンスは、無線サービスの順序で暗示的に提供されてもよい、例えば、無線サービスは、優先順位の降順で最高から最低まで列挙されてもよい。
【００６９】
選択はまた、判定された場所に加え、他のパラメータの中でもとりわけ、電力効率、信頼性、データスループット、帯域幅、サービスの質（ＱｏＳ）等の１つまたはそれを上回る無線サービスパラメータに基づいてもよい。いくつかの実施形態では、パラメータのそれぞれは、優先順位が割り当てられ、無線サービスは、拡張電力プロファイル内の各パラメータに割り当てられる優先順位および多因子選択アルゴリズムに従って選択される。他の実施形態では、無線サービスは、特定のパラメータに従って選択され、例えば、特定のパラメータに関する最適値（例えば、パラメータに応じて、最高または最低）を有する無線サービスを選択する。無線サービスを選択するために使用される特定のパラメータは、アセット追跡サービス２００によって規定されてもよい。アセット追跡サービス２００は、アセット追跡サービス２００に送信され、それによって受信されるメッセージ内で使用されるべきパラメータを規定してもよい。選択の間に使用されるべき特定のパラメータは、アセット追跡サービス２００によって受信されたメッセージから読み出され、方法４００において使用するためにメモリ１１２等のローカルメモリ内に記憶されてもよい。
【００７０】
５２０では、無線送受信機は、動作４０４に関連して上記に説明されるように、無線サービスに関する無線信号を検索する。
【００７１】
５２２では、モバイル送受信機１０２は、動作４０６に関連して上記に説明されるように、走査に応答して受信された任意の応答に従って、無線サービスが利用可能であるかどうかを判定する。
【００７２】
無線サービスが利用不可能であって、判定された場所と関連付けられた他の無線サービスがチェックされていないとき（決定ブロック５２４）、またはモバイル送受信機がデータログの少なくとも一部をアセット追跡サービス２００に送信したとき、処理は、４４０に進み、そこで、低電力モードは、無線送受信機および／または衛星受信機１２０のために始動される。
【００７３】
図６は、本開示のさらなる例示的実施形態による、ＧＮＳＳ追跡デバイス等のモバイル送受信機１０２を動作させる方法６００の例示的フローチャートを示す。方法６００は、いくつかの付加的動作に関して上記に説明される方法４００に類似する。
【００７４】
４１０では、モバイル送受信機１０２は、アクセスされた無線サービスについての識別情報をメモリ１１２内に記憶することによって、最後に使用された無線サービスを更新し、随意に、無線送受信機に応じて、無線送受信機によって使用される周波数または周波数帯域を記憶する。
【００７５】
６５０では、モバイル送受信機１０２は、スイッチコマンドがアセット追跡サービス２００から受信されたかどうかを判定する。スイッチコマンドは、モバイル送受信機１０２によって使用される代替無線サービスと、現在の無線サービスから代替無線サービスに切り替えるための命令とを含む。スイッチコマンドは、種々の理由から、アセット追跡サービス２００によって送信されてもよい。アセット追跡サービス２００は、モバイル送受信機１０２がそのような情報を提供されなかったため、またはモバイル送受信機１０２に提供される情報が古かったため、モバイル送受信機１０２に利用不可能である、好ましいまたはより最適な無線サービスについての情報を有してもよい。例えば、代替無線サービスは、ユーザの自宅ネットワークのキャリアと関連付けられるため、および／またはユーザの自宅ネットワークのキャリアとの有利な提携契約を有するキャリアであるため、好ましいまたはより最適であり得る。代替として、代替無線サービスは、他のパラメータの中でもとりわけ、好ましい提携契約の代わりに、またはそれに加え、改良された電力効率、信頼性、データスループット、帯域幅、またはサービスの質（ＱｏＳ）を有し得るため、好ましいまたはより最適であり得る。アセット追跡サービス２００からのスイッチコマンドは、無線サービスを選択する際に使用されるべきより最新の情報をもたらすだけではなく、また、モバイル送受信機１０２の代わりに、アセット追跡サービス２００によって行われる好ましいまたはより最適な無線サービスに関する意思決定を有することによって、モバイル送受信機１０２上の電力消費を低減させる。
【００７６】
スイッチコマンドが受信されないと、動作は、４３０に進み、そこで、モバイル送受信機１０２は、上記に説明されるように、以前に選択された無線サービスを使用して、データログの少なくとも一部をアセット追跡サービス２００に送信する。
【００７７】
スイッチコマンドが受信されると、動作は、６５２に進み、そこで、モバイル送受信機１０２は、代替無線サービスを選択し、アクセスする。代替無線サービスが利用不可能である場合、モバイル送受信機１０２は、４０８において以前に選択およびアクセスされた無線サービスを選択およびアクセスしてもよい。
【００７８】
６５４では、モバイル送受信機１０２は、アクセスされた無線サービスについての識別情報をメモリ１１２内に記憶することによって、最後に使用された無線サービスを更新し、随意に、無線送受信機に応じて、無線送受信機によって使用される周波数または周波数帯域を記憶する。動作は、次いで、４３０に進み、モバイル送受信機１０２は、上記に説明されるように、以前に選択された無線サービスを使用して、データログの少なくとも一部をアセット追跡サービス２００に送信する。
【００７９】
図７は、本開示のさらなる例示的実施形態による、ＧＮＳＳ追跡デバイス等のモバイル送受信機１０２を動作させる方法７００の例示的フローチャートを示す。方法７００は、上記に説明される方法５００に類似するが、いくつかの付加的動作を伴う。特に、方法６００（図６）からの動作６５０、６５２、および６５４は、モバイル送受信機１０２がアクセスされた無線サービスについての識別情報をメモリ１１２内に記憶することによって、最後に使用された無線サービスを更新し、随意に、無線送受信機に応じて、無線送受信機によって使用される周波数または周波数帯域を記憶した後に行われる。
【００８０】
前述の方法は、電力消費を低減させ、モバイル送受信機のバッテリの期待される寿命を延長させる、電力効率的な全地球的かつ長距離の追跡方法を提供する。説明される実施形態によると、モバイル送受信機は、最後に使用された無線サービスを判定し、最後に使用された無線サービスへのアクセスを試み、それによって、従来行われている全ての利用可能な無線サービスを検索することによって消費されるバッテリ電力を節約する。最後の無線サービスが利用不可能であるとき、代替無線サービスを選択し、それに切り替えるための異なるアプローチが、行われ得る。最後に使用された無線サービスが利用可能であるとき、モバイル送受信機は、最後に使用された無線サービスにアクセスし、コマンドをアセット追跡サービスから受信し、電力関連または他の理由から好ましいもしくはより最適であり得る、代替無線サービスに切り替えてもよい。前述のモバイル送受信機を動作させる方法は、モバイル送受信機が非再充電可能バッテリを具備するとき、特に有利である。前述のモバイル送受信機を動作させる方法はまた、モバイル送受信機が、衛星受信機を使用してその場所を判定してからある期間が経過したとき、例えば、モバイル送受信機が、少なくとも衛星受信機および無線送受信機が低電力モードにある、ある非アクティブ期間後、ウェイクアップするとき、特に有利である。
【００８１】
本明細書に説明されるフローチャートおよび図面内のステップならびに／または動作は、例示目的のためだけのものである。本開示の教示から逸脱することなく、これらのステップおよび／または動作の多くの変形例が存在し得る。例えば、ステップは、異なる順序で行われてもよい、またはステップは、追加される、削除される、もしくは修正されてもよい。
【００８２】
本開示は、少なくとも部分的に、方法の観点から説明されるが、当業者は、本開示がまた、説明される方法の側面および特徴のうちの少なくともいくつかを、ハードウェアコンポーネント、ソフトウェア、またはその２つの任意の組み合わせを用いて、もしくは任意の他の様式において、行うための種々のコンポーネントを対象とすることを理解するであろう。さらに、本開示はまた、本明細書に説明される方法を行うためのその上に記憶されるプログラム命令を含む、事前に記録された記憶デバイスまたは他の類似の機械可読媒体も対象とする。
【００８３】
本開示は、請求項の主題から逸脱することなく、他の具体的形態で具現化されてもよい。説明される例示的実施形態は、あらゆる点において、例証にすぎず、制限ではないと見なされるべきである。本開示は、本技術における全ての好適な変更を網羅および包含することを意図する。本開示の範囲は、したがって、前述の説明によってではなく、添付の請求項によって説明される。請求項の範囲は、実施例に記載される実施形態によって限定されるべきではなく、全体として本説明に一致する最も広義な解釈が与えられるべきである。
【図１】
2019510198.tif 000004
【図２】
2019510198.tif 000005
【図３】
2019510198.tif 000006
【図４】
2019510198.tif 000007
【図５】
2019510198.tif 000008
【図６】
2019510198.tif 000009
【図７】
2019510198.tif 000010
【国際調査報告】
2019510198.tif 000011
2019510198.tif 000012
2019510198.tif 000013
2019510198.tif 000014